(57)【要約】【課題】自動的に本を押さえることができ、管理者の手間を軽減することのできるラック及び本支持具を提供する。【解決手段】本考案は、本を設置するためのラックであって、前記本を収容するためのかご（１）と、かご（１）の左右両端に対称的に設けられ、前方から後方に向かって下方に傾斜して形成されるスライド案内棒（２）と、スライド案内棒（２）に沿って前後にスライド可能に設けられ、後面で本を押さえることのできる押さえ板とを備え、該押さえ板は、支柱体（４）と、支柱体（４）の下部に設けられた展示用看板部材（５）と、支柱体（４）の左右両端においてスライド案内棒（２）に係合する係合部材（６）とを備えていることを特徴とする。【選択図】図３
0003138396.tif 000002
【実用新案登録請求の範囲】
【請求項１】
本を設置するためのラックであって、
前記本を収容するためのかごと、
該かごの左右両端に対称的に設けられ、前方から後方に向かって下方に傾斜して形成されるスライド案内棒と、
該スライド案内棒に沿って前後にスライド可能に設けられ、後面で本を押さえることのできる押さえ板と、
を備え、該押さえ板は、支柱体と、該支柱体の下部に設けられた展示用看板部材と、前記支柱体の左右両端において前記スライド案内棒に係合する係合部材とを備えていることを特徴とするラック。
【請求項２】
ラックに設置された本を押さえるための本支持具であって、
前記本を収容するかごの左右両端に対称的に設けられ、前方から後方に向かって下方に傾斜して形成されるスライド案内棒と、
該スライド案内棒に沿って前後にスライド可能に設けられ、後面で本を押さえることのできる押さえ板と、
を備え、該押さえ板は、支柱体と、該支柱体の下部に設けられた展示用看板部材と、前記支柱体の左右両端において前記スライド案内棒に係合する係合部材とを備えていることを特徴とする本支持具。
【請求項３】
前記展示用看板部材は、前記押さえ板が前記スライド案内棒に沿って前後にスライドする際に前記支柱体に対して上下に昇降するように設けられており、板状の看板を嵌め込み可能な枠を備えている請求項１に記載のラック。
【請求項４】
前記展示用看板部材は、金属製であり、前記枠にはアクリル板が嵌め込まれている請求項１に記載のラック。
【請求項５】
前記かごの底面は前方から後方に向かって下方に傾斜して形成されている請求項１に記載のラック。
【請求項６】
前記押さえ板の係合部材は、前記スライド案内棒を上下に挟むように設けられた挟持部材を備えている請求項１に記載のラック。
【請求項７】
前記かごは複数重ねて連結されている請求項１に記載のラック。
【考案の詳細な説明】
【技術分野】
【０００１】
本考案は、本を設置するためのラック及び該ラックに設置された本を押さえるための本支持具に関する。
【背景技術】
【０００２】
従来、フリーペーパー等の本を立て掛けた状態で設置するためにラックが使用されている。
【考案の開示】
【考案が解決しようとする課題】
【０００３】
しかしながら、従来のラックでは、本を収容するかご内の空間が比較的大きいため、本が少なくなった場合に、立て掛けた本が前方に倒れてかごの中で本が乱れ易く、整然としないといった問題があった。そして、このような状態を回避するには、人工的に本を元の位置に戻すしかなく、このような作業は管理者にとって大変手間の掛かるものであった。
【０００４】
本考案は、上記した課題を解決すべくなされたものであり、自動的に本を押さえることができ、管理者の手間を軽減することのできるラック及び本支持具を提供することを目的とするものである。
【課題を解決するための手段】
【０００５】
上記した目的を達成するため、本考案は、本を設置するためのラックであって、前記本を収容するためのかごと、該かごの左右両端に対称的に設けられ、前方から後方に向かって下方に傾斜して形成されるスライド案内棒と、該スライド案内棒に沿って前後にスライド可能に設けられ、後面で本を押さえることのできる押さえ板と、を備え、該押さえ板は、支柱体と、該支柱体の下部に設けられた展示用看板部材と、前記支柱体の左右両端において前記スライド案内棒に係合する係合部材とを備えていることを特徴とする。
【０００６】
また、本考案は、ラックに設置された本を押さえるための本支持具であって、前記本を収容するかごの左右両端に対称的に設けられ、前方から後方に向かって下方に傾斜して形成されるスライド案内棒と、該スライド案内棒に沿って前後にスライド可能に設けられ、後面で本を押さえることのできる押さえ板と、を備え、該押さえ板は、支柱体と、該支柱体の下部に設けられた展示用看板部材と、前記支柱体の左右両端において前記スライド案内棒に係合する係合部材とを備えていることを特徴とする。
【０００７】
そして、本考案のラックの前記展示用看板部材は、前記押さえ板が前記スライド案内棒に沿って前後にスライドする際に前記支柱体に対して上下に昇降するように設けられており、板状の看板を嵌め込み可能な枠を備えていてもよい。
【０００８】
また、本考案のラックの前記展示用看板部材は、金属製であり、前記枠にはアクリル板が嵌め込まれていてもよい。
【０００９】
さらに、本考案のラックの前記かごの底面は前方から後方に向かって下方に傾斜して形成されていてもよい。
【００１０】
さらにまた、本考案のラックの前記押さえ板の係合部材は、前記スライド案内棒を上下に挟むように設けられた挟持部材を備えていてもよい。
【００１１】
さらに、本考案のラックの前記かごは複数重ねて連結されていてもよい。
【考案の効果】
【００１２】
本考案によれば、自動的に本を押さえることができ、管理者の手間を軽減することができる。
【考案を実施するための最良の形態】
【００１３】
本考案は、自動的に本を押さえることができる押さえ板付きのラックであり、押さえ板はその後面によって本を支える役割を有している。この特徴は、かごの左右両端に対称的に押さえ板をスライドさせる役割を有するスライド案内棒が設けられていることであり、両端のスライド案内棒は前方から後方に向かって下方に傾斜して形成されている。
【００１４】
一方、本を押さえるための押さえ板は、かごの内側に設置されており、支柱体と展示用看板部材から構成されている。展示用看板部材の位置は支柱体の下部に設けられており、展示用看板部材の支柱体の両端には係合部材が設けられ、この係合部材はスライド案内棒に係合可能となっている。
【００１５】
なお、前記スライド案内棒はかごから分離させて単独で使用することも可能である。
【００１６】
展示用看板部材は、展示用看板部材自体が上下に昇降可能となっており、その中央には板状の看板を嵌め込める縁を有する枠を備えているものや、展示用看板部材自体は上下に昇降できないが、中央に板状の看板を嵌め込める縁を有する枠を備えているものがある。また、展示用看板部材は、金属製であり、中央の枠にアクリル板を設置することができる。
【００１７】
かごの底面部分は、地面と平行を成している場合と、地面に対して傾斜を成している場合とがある。また、スライド案内棒と係合する押さえ板の係合部材は、スライド案内棒を挟むように上下一対に設けられたピン状の挟持部材と上側の挟持部材に回転可能に設けられたローラとを備えている。
【００１８】
また、押さえ板を備えたかごは、２個以上を重ねて連結させて使用することもができる。
【００１９】
本考案を使用する方法は、本をかごの内側に設置した後に、かごの両端にある左右対称のスライド案内棒と係合した押さえ板の展示用看板部材を本の前方に配置させる。この時、係合部分はスライド案内棒に沿って前後にスライドする。そして、スライド案内棒は前方から後方に向かって下方に傾斜して形成されていると共に、押さえ板とスライド案内棒とが係合部分を介して係合されているため、展示用看板部材自体の重力の作用により展示用看板部材は常に一番前方に配置されている本を押さえることができる。そのため、かごの中の本を常にきちんと押さえることができ、本の乱れや倒れを防止することができる。
【００２０】
また、展示用看板部材の枠には、かごに収容する本に関連する分類カード等を差し込むことができる。
【００２１】
押さえ板付きのかごの底面が地面と平行の場合には、かごの両端のスライド案内棒に係合している押さえ板自体の重力によって一番手前の本を押さえることができる。また、押さえ板付きのかごの底面が地面に対して傾斜を成している場合、手前の本を押さえ板自体の重量で本を押さえると同時に、かごの底面が斜めになっているため、本は自然と後方に倒れ、本をきちんと整理させる機能も果たすことができる。
【００２２】
また、押さえ板の展示用看板部材の枠にアクリル板などの材料を嵌め込んだ場合には、本の表面が雨に濡れないようにさせることもできる。
【００２３】
本考案の利点は、本を押さえるための押さえ板をかご内に設置し、この押さえ板を本の増減に応じて常に前後にスライドさせることができることである。さらに、押さえ板により常に本が押え付けられているので、本が前方に倒れることがなく、整然と保つことができる。また、ラックを屋外の風の強い場所に設置した場合であっても、本が風により乱れることがなく、本をきちんと整理させることができる。
【００２４】
（実施例）自動的に本を押さえるための押さえ板付きのラックは、後面に支えの役割を有する押さえ板を備えたかご（１）を備え、かご（１）の両端に設けられたスライド案内棒（２）は前方から後方に向かって下方に傾斜して形成されている。
【００２５】
一方、本を押さえるための押さえ板は、かご（１）の内側に設置されており、支柱体（４）と展示用看板部材（５）とから構成されている。展示用看板部材（５）の位置は支柱体（４）の下部にあり、展示用看板部材（５）の支柱体（４）の両端には係合部材（６）が設けられており、この係合部材（６）はかご（１）の両端にある左右対称のスライド案内棒（２）に係合可能となっている（図３参照）。
【００２６】
展示用看板部材（５）は、展示用看板部材自体が上下に昇降でき、中央に板状の看板を嵌め込める縁の付いた枠が設けられている（図２参照）。
【００２７】
図１ａ，ｂ，ｃは、かごの底面（３）が地面と平行の場合の例を示している。
【００２８】
かご（１）の両端において左右対称に押さえ板をスライドさせることのできるスライド案内棒（２）に係合可能な係合部材（６）が展示用看板部材（５）の支柱体（４）の両端に設けられており、この係合部材（６）は、スライド案内棒（２）を上下に挟むように一対に設けられたピン状の挟持部材を備えている（図２ａ，ｂ，ｃ参照）。なお、この挟持部材にはローラが回転可能に設けられていてもよい。
【図面の簡単な説明】
【００２９】
【図１ａ】本考案の実施の形態に係るラックのかごの全体的な構造を示す正面図である。
【図１ｂ】本考案の実施の形態に係るラックのかごの全体的な構造を示す側面図である。
【図１ｃ】本考案の実施の形態に係るラックのかごの全体的な構造を示す斜視図である。
【図２ａ】本考案の実施の形態に係るラックの押さえ板の全体的な構造を示す正面図である。
【図２ｂ】本考案の実施の形態に係るラックの押さえ板の全体的な構造を示す側面図である。
【図２ｃ】本考案の実施の形態に係るラックの押さえ板の全体的な構造を示す斜視図である。
【図３】本考案の実施の形態に係るラックの全体的な構造を示す斜視図である。
【符号の説明】
【００３０】
１          かご
２          スライド案内棒
３          底面
４          支柱体
５          展示用看板部材
６          係合部材
【図１ａ】
0003138396.tif 000003
【図１ｂ】
0003138396.tif 000004
【図１ｃ】
0003138396.tif 000005
【図２ａ】
0003138396.tif 000006
【図２ｂ】
0003138396.tif 000007
【図２ｃ】
0003138396.tif 000008
【図３】
0003138396.tif 000009